(57)【要約】      （修正有）【課題】長いガイドバーが収納性や持運びの利便性を損う点を機能性を損わずに改善し、また往復回数が高頻度となる遠近方向トレーニング管理の不便さを解消した眼筋トレーニング装置の提供。【解決手段】ガイドバー５，７上に複数個のＬＥＤ１７等による小ランプを適度な間隔に配置し、順次点灯・消灯を繰返しながら連続的に往復を継続し、その点灯ランプを目線で追うことにより移動指標に準じた眼筋トレーニングができ、又、折畳み可能なガイドバーにより収納性や持運びの利便性が改善した。これにより、トレーニングの種類にV字及び逆V字方向も新規に追加できた。更に、一定往復回数毎に繰上げ表示するカウンタ３４の設置で遠近方向トレーニング管理が改善できた。【選択図】図１
2010075266.tif 000002
【特許請求の範囲】
【請求項１】
シーソーのように垂直面内で揺動可能なガイドバー上に複数のＬＥＤ等に拠る小ランプを一定間隔で直線状に配置し、手動或は自動により順次点灯・消灯を繰り返し、連続的に往復を継続させ、その点灯した小ランプを目線で追うことにより、１．左右水平方向、２．右斜め上から左斜め下及びその逆方向、３．左斜め上から右斜め下及びその逆方向、４．目線の上下方向、５．遠近方向、の５方向に対する眼筋トレーニングを可能ならしめる特徴を有する装置。
【請求項２】
ガイドバーを３分割し、図７に示す歯車機構を組み合わせることで、請求項１の特徴に加えて、遠近方向に対しては点灯するLEDが目線方向で互いに重ならないように追うことを容易にし（図３参照）、図４（ａ）、（b）に示す如くＶ字方向あるいは逆V字方向の往復繰返し眼筋トレーニングも可能ならしめ、収納に際しては図５の如くガイドバーを折畳むことができる特徴を有する装置。
【発明の詳細な説明】
【技術分野】
【０００１】
この発明は、眼筋の機能の衰えにより視力が低下した人の視力回復・改善の為のトレーニング装置に関するものである。
【背景技術】
【０００２】
特願２００４−１７４８３０（公開番号：特開２００５−３２９１８５号公報）の眼筋トレーニング装置は、トレーニング装置としては眼筋の緊張をほぐしてくれる点で優れた長所を持つが、収納性及び屋外等への持ち出しの際、ガイドバーの長さが不便さを感じさせる。更に、「遠近方向」のトレーニングに対しては往復回数を多くすることが効果的であるが、カウント表示器が無いためトレーニング管理に不便さを感じる。
【０００３】
【特許文献１】特開２００５−３２９１８５号公報
【発明の開示】
【発明が解決しようとする課題】
【０００４】
特願２００４−１７４８３０の内容では、ガイドバーは指標を移動させるためにも機構的に連続的な構造を必要とするため、その長さが持運びや収納時に場所をとるという不便さを感じさせる。更に、毛様体筋を対象にした「遠近方向」のトレーニングに対しては、他の眼筋トレーニングと比べて、特に往復回数を多くしたトレーニングが必要と感じており、時間に頼る回数管理では不便さを感じる。これらの不便さを解消することを課題とした。
【課題を解決するための手段】
【０００５】
ガイドバー上に１１個のＬＥＤ等による小ランプを一定間隔に設置し、手動或は自動により点灯・消灯を順次繰返し、連続的に往復を継続させながら、点灯した小ランプを目線で追う方法により、あたかも往復移動する指標を目線で追うかのごとく、移動指標の方法に準じた眼筋トレーニングを可能とし、また、ガイドバーの構造を３つに分割し、歯車機構を組み込むことにより長いガイドバーを左右等角度（対称）にコンパクトに折りたたむことを可能にした。指標を小ランプに置き換え移動機構を無くすことでガイドバー自体の軽量化と保管時の省スペース化が可能となった。更に、一定往復回数毎に繰上げ表示するカウンタを設置することで、トレーニング管理の容易化が実現できた。
【０００６】
眼筋トレーニング方法としても、歯車機構との組み合わせにより、結果的にＶ字方向と逆Ｖ字方向の新規トレーニング方法を追加することができた。
【０００７】
遠近方向のトレーニングでは、トレーニング中の眠気等により、目が直接ガイドバー端部に当たる危険性を考慮し、先端部には安全のためのクッションを備え、目に危害が及ばないようにする。
【０００８】
ガイドバーの姿勢の切替（トレーニング時のガイドバーの各姿勢を以下の説明では「モード」と称する。）は、可逆回転可能な減速装置内蔵型小型電動機を使用すれば「自動化」も可能ではあるが、費用対効果の面から「手動」でモード切替を行う構造とした。
【発明の効果】
【０００９】
本発明は、特願２００４−１７４８３０の内容とほぼ同等の効果を、一層簡便な方法で引き出すことが可能である上に、トレーニング管理の容易化と収納時の省スペース化の実現に加えて、新規トレーニングモードの追加が実現できた。
【実施例】
【００１０】
本発明の外形図及び使用要領を図１〜図４に、収納時の形状を図５に示す。本装置では、電源に接続後、操作箱３３の電源スイッチを押すことで各ＬＥＤ１７が自動的に、順次点灯・消灯を繰り返し連続的に往復を継続するので、一定往復回数ごとのブザー奏鳴に合せてガイドバーを任意のモードに設定し、各要領図の要領で眼筋のトレーニングを行う。
【００１１】
本発明の主な構成は、脚部、支点部、ガイドバー部及び操作箱からなり、以下に実施例の構成の詳細について記述する。
【００１２】
脚部は脚１のみで構成され、本装置を平坦な面に安定して設置するためのもので、支点部の支柱２との連結の為のねじ部と支点部を９０度回転させる時のストッパーが一体構造と成っている。（図６参照）
【００１３】
支点部は、最下部には脚１と連結する為のネジキャップ２１と９０度回転時の位置決めピース１９及びセットネジ２０が取り付く。その上部に、ガイドバー収納時の受け部が支柱と一体構造で構成されるが、その間には、ガイドバー開放の為のレバー１８、復元バネ２２及び押し板２３が組み込まれる（図８参照）。これらは、セットネジ２０を取り付ける前に組み込まれる。レバー１８を押し下げることで、ガイドバーA５，ガイドバーC７に設けたリング２６を押し板２３で左右に押し広げ、受け部を開放しガイドバーA、Cが開けられるようになる。支柱部の中央には操作箱３３取付用座を設け、上部には、アゴ受け座が一体構造となり、アゴ受け１４が取り付く。又、上面にはガイドバー部を支える支点Ａ１０、支点Ｂ１１がコネジにより取り付けられ、玉軸受９が組み込まれる。又、支点Ａ１０の前面には、鼻当て１３が取付けられ、支点Ｂ１１側には、カウンタ３４及び、電気配線用カバー３５が取付けられる。
【００１４】
ガイドバー部は、ガイドバーＡ５、ガイドバーＢ６、ガイドバーＣ７、連結プレートＡ３、連結プレートＢ４、ＬＥＤ１７、ＬＥＤ取付座Ａ３０、ＬＥＤ取付座Ｂ３１、ＬＥＤ取付座Ｃ３２、保護用クッションＡ１５、クッションＢ１６、歯車８、プランジャ１２及び小物締結部品からなる。
【００１５】
ガイドバーＡ５及びガイドバーＣ７には、折畳み時の回転軸と、歯車８と噛合う歯が一体構造となり、連結プレートＡ３及び連結プレートＢ４とそれぞれ小物締結部品で結合されている。歯車８は、小物締結部品により連結プレートＡ３の内側に取付けられる。又、連結プレートＡ３及び連結プレートＢ４には、モード切替時の回転用軸が一体構造と成っており、軸は玉軸受９にはめ込まれる。軸部には、配線取出し用穴を設けている。
【００１６】
ガイドバーB６は、連結プレートＡ３及び連結プレートＢ４の間にあって、連結プレートＢ４の中央部に小物締結部品で固定され、ＬＥＤ取付座Ｂ３１、ＬＥＤ１７が取付けられる。
【００１７】
各ＬＥＤには、文字・記号（Ａ、Ｂ、Ｃ、Ｘ、◎、☆、ランドルト環、カタカナ、ひらがな、漢字等から任意に選定）等を表示した光を拡散させるのための透過性カバーやテープ等を装着し、ＬＥＤを真上から直視した時の目を保護すると共に、点灯のタイミングに合してそれらの表示を認識しょうと努めることで眼筋トレーニングを効果的ならしめる。
【００１８】
プランジャ１２によってガイドバーの傾きは１５°ピッチで位置がセットできる構造となっており、モードは±６０度の範囲で切替を可能とする（図９参照）。
【００１９】
遠近方向のモードでは、ＬＥＤ同士が目線上で重ならないように、ガイドバーＡ５とガイドバーＣ７を水平から４〜５°程度Ｖ字型に角度を起こし、連結プレート３、４を図３のごとく１５度回転してトレーニングを行う。カウンタ３４は遠近方向トレーニングの為に用意してあり、操作箱３３に取り付けたリセットボタンを押してカウントを０に戻して始める。１５往復毎に１繰り上がるようにプログラムしてあり、９９回までカウントできる。
【００２０】
Ｖ字型及び逆Ｖ字型モードのトレーニングは、ガイドバーを図４のようにセットして行うことができる。
【００２１】
操作箱３３は、DC電源コネクタ、照光式電源スイッチ、カウントリセットスイッチ、制御基板、ブザー及び配線小物部品からなる。
操作は、ＤＣ電源を接続し、まず、ガイドバーを水平にした後、照光式電源スイッチを押す。ＬＥＤは順次点灯・消灯を繰り返し、ガイドバー両端での折返し毎に単音の電子音を奏で、５往復目と１０往復目には単音３回の電子音を奏鳴し、１５往復目ではモード変更の合図も兼ねて、５往復毎と同じ単音３回分を１回として３回連続で奏鳴する。この１５往復毎に、ガイドバーの姿勢を手動で変更し、モードの切替を行う。
【００２２】
本トレーニング装置の収納時は、図５のように折畳み、ＬＥＤ保護の為、保護カバーＡ３６、保護カバーＢ３７を取付ける。
【図面の簡単な説明】
【００２３】
【図１】（ａ）正面図  左右水平、斜め上下方向の眼筋トレーニングの要領図        （ｂ）側面図  左右水平、斜め上下方向の眼筋トレーニングの要領図
【図２】側面図  目線の上下方向の眼筋トレーニングの要領図
【図３】側面図  遠近方向の眼筋トレーニングの要領図
【図４】（ａ）正面図  Ｖ字方向の眼筋トレーニングの要領図        （ｂ）正面図  逆Ｖ字方向の眼筋トレーニングの要領図
【図５】正面図  収納の要領図
【図６】支柱回転部の詳細図
【図７】ガイドバー折畳み機構の詳細図
【図８】ガイドバー収納時の止め及び開放部の機構詳細図
【図９】支点上部詳細図
【符号の説明】
【００２４】
１    脚
２    支柱
３    連結プレートＡ
４    連結プレートＢ
５    ガイドバーA
６    ガイドバーＢ
７    ガイドバーC
８    歯車
９    玉軸受
１０  支点Ａ
１１  支点Ｂ
１２  プランジャ
１３  鼻当て
１４  アゴ受け
１５  クッションＡ
１６  クッションＢ
１７  ＬＥＤ
１８  レバー
１９  位置決めピース
２０  セットネジ
２１  ネジキャップ
２２  復元バネ
２３  押し板
２４  ピンＡ
２５  Ｃ形トメワＡ
２６  リング
２７  ピンＢ
２８  Ｃ形トメワＢ
３０  ＬＥＤ取付座Ａ
３１  ＬＥＤ取付座Ｂ
３２  ＬＥＤ取付座Ｃ
３３  操作箱
３４  カウンタ
３５  電気配線用カバー
３６  保護カバーＡ
３７  保護カバーＢ
【図１】
2010075266.tif 000003
【図２】
2010075266.tif 000004
【図３】
2010075266.tif 000005
【図４】
2010075266.tif 000006
【図５】
2010075266.tif 000007
【図６】
2010075266.tif 000008
【図７】
2010075266.tif 000009
【図８】
2010075266.tif 000010
【図９】
2010075266.tif 000011